(57)【特許請求の範囲】
【請求項１】
ＣＤＭＡ等の拡散信号を用いた移動通信システムのサービスエリア内において所定の測定コースを走行しながら無線基地局から送信される特定の測定用チャンネルを用いて該サービスエリア内の受信電力、干渉電力、パスプロファイルを少なくとも含む受信特性を実測する移動測定手段と、
該移動測定手段で得られた実測データと通信品質を推定するための所定の演算式を用いて送信電力、伝送レート、チップレートのいずれかを少なくとも含む送信条件が前記測定用チャンネルと異なる他チャンネルのＳＩＲ（受信電力対干渉電力比），ＢＥＲ（ビット誤り率）のいずれかを少なくとも含む通信品質を推定する通信品質推定手段と
を有することを特徴とする測定用チャンネルを用いた他チャンネル通信品質推定システム。
【請求項２】
前記移動測定手段は前記測定用チャンネルの受信特性および下り干渉電力を測定し、前記通信品質推定手段は該移動測定手段で取得した該受信特性および該下り干渉電力の実測データを用いて送信条件が前記測定用チャンネルと異なる下りチャンネルの通信品質を推定することを特徴とする請求項１に記載の測定用チャンネルを用いた他チャンネル通信品質推定システム。
【請求項３】
前記通信品質推定手段は、前記移動測定手段で取得した前記測定用チャンネルの受信特性と前記サービスエリア内の各無線基地局で測定した上り干渉総電力の実測データを用いて送信条件が前記測定用チャンネルと異なる上りチャンネルの通信品質を推定することを特徴とする請求項１または２に記載の測定用チャンネルを用いた他チャンネル通信品質推定システム。
【請求項４】
前記通信品質推定手段は、前記移動測定手段で取得した前記測定用チャンネルの受信特性と下り干渉電力、前記サービスエリア内の各無線基地局で測定した上り干渉総電力の実測データに加えて、基地局データ、トラヒックデータ、地形・建物データの各データベースを用いて前記測定コース外の受信特性を推定し、該推定結果を用いて前記測定用チャンネルと異なる他チャンネルの通信品質を推定することを特徴とする請求項１ないし３のいずれかに記載の測定用チャンネルを用いた他チャンネル通信品質推定システム。
【請求項５】
前記通信品質推定手段は、前記測定コース上では前記実測データ、その他の地点では各種前記データベースと前記演算式から計算した推定データを用いて、前記測定コースの内外、トラヒック分布の形状を問わず前記サービスエリア全体における各前記他チャンネルについて通信品質を推定することを特徴とする請求項４に記載の測定用チャンネルを用いた他チャンネル通信品質推定システム。
【請求項６】
前記通信品質推定手段は、前記実測データから前記測定用チャンネルの通信品質の評価を行い、該評価結果と前記基地局データを用いて、前記測定コース上の前記他チャンネルの通信品質を推定し、前記評価結果と前記基地局データおよび前記トラヒックデータ、前記地形・建物データを用いてあるトラヒック分布を仮定したときの前記サービスエリア全体における各前記他チャンネルの通信品質を推定することを特徴とする請求項４に記載の測定用チャンネルを用いた他チャンネル通信品質推定システム。
【請求項７】
前記実測データは前記測定用チャンネルについての受信電力、下り干渉電力、パスプロファイル、上り干渉総電力、測定用チャンネル送信電力を含み、前記基地局データは各基地局の位置、アンテナ指向性、送信電力、送信レート、チップレートのいずれかを少なくとも含み、トラヒックデータは実測トラヒック、推定トラヒックを含み、前記地形・建物データは標高、土地利用、建物高のいずれかを少なくとも含み、前記他チャンネル推定データはパスプロファイル推定データ、下り受信電力推定データ、上り受信電力推定データ、下り干渉電力推定データ、上り干渉電力推定データを含み、前記通信品質はＳＩＲ，所要送信電力、ＢＥＲを含むことを特徴とする請求項４に記載の測定用チャンネルを用いた他チャンネル通信品質推定システム。
【請求項８】
前記通信品質推定手段は、前記測定コース内の他チャンネル下りＳＩＲの推定に際し、前記実測データの下り干渉電力、前記基地局データの送信条件である測定用チャンネル伝送レート、他チャンネル伝送レートを用いて他チャンネル下り干渉電力を算出し、前記実測データのパスプロファイルと前記基地局データの送信条件である測定用チャンネル送信電力、他チャンネル下り送信電力を用いて他チャンネル下りパスプロファイルを算出し、該他チャンネル下りパスプロファイルを総計することで他チャンネル下り受信電力を得、前記他チャンネル下り干渉電力と前記他チャンネル下り受信電力の比をとることで他チャンネル下りＳＩＲを推定することを特徴とする請求項４に記載の測定用チャンネルを用いた他チャンネル通信品質推定システム。
【請求項９】
前記通信品質推定手段は、前記測定コース内の他チャンネル上りＳＩＲの推定に際し、前記実測データの上り干渉総電力、前記基地局データの送信条件であるチップレート、他チャンネル伝送レートを用いて他チャンネル上り干渉電力を算出し、前記実測データのパスプロファイルと前記基地局データの送信条件である測定用チャンネル送信電力、他チャンネル上り送信電力を用いて他チャンネル上りパスプロファイルを算出し、該他チャンネル上りパスプロファイルを総計することで他チャンネル上り受信電力を得、前記他チャンネル上り干渉電力と前記他チャンネル上り受信電力の比をとることで他チャンネル上りＳＩＲを推定することを特徴とする請求項４または８に記載の測定用チャンネルを用いた他チャンネル通信品質推定システム。
【請求項１０】
前記通信品質推定手段は、全サービスエリアにおける他チャンネル下りＳＩＲの推定に際し、下りチャンネル毎に送信電力を設定し、該設定した送信電力と前記基地局データ、前記地形・建物データを用いて前記測定コース外の推定パスプロファイルを得、また、該設定した送信電力と前記実測データのパスプロファイルと前記基地局データの送信条件である測定用チャンネルの送信電力を用いて前記測定コース内の推定パスプロファイルを得、該測定コース外の推定パスプロファイルと該測定コース内の推定パスプロファイルとから任意の地点のパスプロファイルを得、任意の地点の推定パスプロファイルの総和から各チャンネル下り受信電力を得、該下り受信電力の総和と前記基地局データの送信条件であるチップレート、他チャンネル伝送レートを用いて各チャンネル下り干渉電力を算出し、該各チャンネル下り干渉電力と前記各チャンネル下り受信電力の比をとることで各チャンネル下りＳＩＲを推定することを特徴とする請求項４、８、９のいずれかに記載の測定用チャンネルを用いた他チャンネル通信品質推定システム。
【請求項１１】
前記通信品質推定手段は、全サービスエリアにおける他チャンネル上りＳＩＲの推定に際し、上りチャンネル毎に送信電力を設定し、該設定した送信電力と前記基地局データ、前記地形・建物データを用いて前記測定コース外の推定パスプロファイルを得、また、該設定した送信電力と前記実測データのパスプロファイルと前記基地局データの送信条件である測定用チャンネルの送信電力を用いて前記測定コース内の推定パスプロファイルを得、該測定コース外の推定パスプロファイルと該測定コース内の推定パスプロファイルとから任意の地点のパスプロファイルを得、任意の地点の推定パスプロファイルの総和から各チャンネル上り受信電力を得、前記上り受信電力の総和と前記基地局データの送信条件であるチップレート、他チャンネル伝送レートを用いて各チャンネル上り干渉電力を算出し、該各チャンネル上り干渉電力と前記各チャンネル上り受信電力の比をとることで各チャンネル上りＳＩＲを推定することを特徴とする請求項４、８、９、１０のいずれかに記載の測定用チャンネルを用いた他チャンネル通信品質推定システム。
【請求項１２】
前記通信品質推定手段は、各チャンネルにおける所要送信電力を推定するに際し、チャンネル毎に所要ＳＩＲ値を設定し、チャンネル毎に送信電力の初期値を設定し、全サービスエリアにおける他チャンネル品質推定を行った後、チャンネル毎に全チャンネルのＳＩＲが前記所要ＳＩＲ値を満たすか否かを判定し、これが肯定判定となるまでチャンネル毎に送信電力を更新することで各チャンネルにおける所要送信電力を推定することを特徴とする請求項４に記載の測定用チャンネルを用いた他チャンネル通信品質推定システム。
【請求項１３】
前記通信品質推定手段は、各チャンネルのＳＩＲ、各チャンネルのパスプロファイルおよび前記基地局データの送信条件を用いて各チャンネルにおけるＢＥＲを算出することを特徴とする請求項４に記載の測定用チャンネルを用いた他チャンネル通信品質推定システム。
【請求項１４】
ＣＤＭＡ等の拡散信号を用いた移動通信システムのサービスエリア内において所定の測定コースを走行しながら無線基地局から送信される特定の測定用チャンネルを用いて該サービスエリア内の受信電力、干渉電力、パスプロファイルを少なくとも含む受信特性を実測する移動測定ステップと、
該移動測定ステップで得られた実測データと通信品質を推定するための所定の演算式を用いて送信電力、伝送レート、チップレートのいずれかを少なくとも含む送信条件が前記測定用チャンネルと異なる他チャンネルのＳＩＲ（受信電力対干渉電力比），ＢＥＲ（ビット誤り率）のいずれかを少なくとも含む通信品質を推定する通信品質推定ステップと
を有することを特徴とする測定用チャンネルを用いた他チャンネル通信品質推定方法。
【請求項１５】
前記移動測定ステップでは前記測定用チャンネルの受信特性および下り干渉電力を測定し、前記通信品質推定ステップでは該移動測定ステップで取得した該受信特性および該下り干渉電力の実測データを用いて送信条件が前記測定用チャンネルと異なる下りチャンネルの通信品質を推定することを特徴とする請求項１４に記載の測定用チャンネルを用いた他チャンネル通信品質推定方法。
【請求項１６】
前記通信品質推定ステップでは、前記移動測定ステップで取得した前記測定用チャンネルの受信特性と前記サービスエリア内の各無線基地局で測定した上り干渉総電力の実測データを用いて送信条件が前記測定用チャンネルと異なる上りチャンネルの通信品質を推定することを特徴とする請求項１４または１５に記載の測定用チャンネルを用いた他チャンネル通信品質推定方法。
【請求項１７】
前記通信品質推定ステップでは、前記移動測定ステップで取得した前記測定用チャンネルの受信特性と下り干渉電力、前記サービスエリア内の各無線基地局で測定した上り干渉総電力の実測データに加えて、基地局データ、トラヒックデータ、地形・建物データの各データベースを用いて前記測定コース外の受信特性を推定し、該推定結果を用いて前記測定用チャンネルと異なる他チャンネルの通信品質を推定することを特徴とする請求項１４ないし１６のいずれかに記載の測定用チャンネルを用いた他チャンネル通信品質推定方法。
【請求項１８】
前記通信品質推定ステップでは、前記測定コース上では前記実測データ、その他の地点では各種前記データベースと前記演算式から計算した推定データを用いて、前記測定コースの内外、トラヒック分布の形状を問わず前記サービスエリア全体における各前記他チャンネルについて通信品質を推定することを特徴とする請求項１７に記載の測定用チャンネルを用いた他チャンネル通信品質推定方法。
【請求項１９】
前記通信品質推定ステップでは、前記実測データから前記測定用チャンネルの通信品質の評価を行い、該評価結果と前記基地局データを用いて、前記測定コース上の前記他チャンネルの通信品質を推定し、前記評価結果と前記基地局データおよび前記トラヒックデータ、前記地形・建物データを用いてあるトラヒック分布を仮定したときの前記サービスエリア全体における各前記他チャンネルの通信品質を推定することを特徴とする請求項１７に記載の測定用チャンネルを用いた他チャンネル通信品質推定方法。
【請求項２０】
前記実測データは前記測定用チャンネルについての受信電力、下り干渉電力、パスプロファイル、上り干渉総電力、測定用チャンネル送信電力を含み、前記基地局データは各基地局の位置、アンテナ指向性、送信電力、送信レート、チップレートのいずれかを少なくとも含み、トラヒックデータは実測トラヒック、推定トラヒックを含み、前記地形・建物データは標高、土地利用、建物高のいずれかを少なくとも含み、前記他チャンネル推定データはパスプロファイル推定データ、下り受信電力推定データ、上り受信電力推定データ、下り干渉電力推定データ、上り干渉電力推定データを含み、前記通信品質はＳＩＲ，所要送信電力、ＢＥＲを含むことを特徴とする請求項１７に記載の測定用チャンネルを用いた他チャンネル通信品質推定方法。
【請求項２１】
前記通信品質推定ステップでは、前記測定コース内の他チャンネル下りＳＩＲの推定に際し、前記実測データの下り干渉電力、前記基地局データの送信条件である測定用チャンネル伝送レート、他チャンネル伝送レートを用いて他チャンネル下り干渉電力を算出し、前記実測データのパスプロファイルと前記基地局データの送信条件である測定用チャンネル送信電力、他チャンネル下り送信電力を用いて他チャンネル下りパスプロファイルを算出し、該他チャンネル下りパスプロファイルを総計することで他チャンネル下り受信電力を得、前記他チャンネル下り干渉電力と前記他チャンネル下り受信電力の比をとることで他チャンネル下りＳＩＲを推定することを特徴とする請求項１７に記載の測定用チャンネルを用いた他チャンネル通信品質推定方法。
【請求項２２】
前記通信品質推定ステップでは、前記測定コース内の他チャンネル上りＳＩＲの推定に際し、前記実測データの上り干渉総電力、前記基地局データの送信条件であるチップレート、他チャンネル伝送レートを用いて他チャンネル上り干渉電力を算出し、前記実測データのパスプロファイルと前記基地局データの送信条件である測定用チャンネル送信電力、他チャンネル上り送信電力を用いて他チャンネル上りパスプロファイルを算出し、該他チャンネル上りパスプロファイルを総計することで他チャンネル上り受信電力を得、前記他チャンネル上り干渉電力と前記他チャンネル上り受信電力の比をとることで他チャンネル上りＳＩＲを推定することを特徴とする請求項１７または２１に記載の測定用チャンネルを用いた他チャンネル通信品質推定方法。
【請求項２３】
前記通信品質推定ステップでは、全サービスエリアにおける他チャンネル下りＳＩＲの推定に際し、下りチャンネル毎に送信電力を設定し、該設定した送信電力と前記基地局データ、前記地形・建物データを用いて前記測定コース外の推定パスプロファイルを得、また、該設定した送信電力と前記実測データのパスプロファイルと前記基地局データの送信条件である測定用チャンネルの送信電力を用いて前記測定コース内の推定パスプロファイルを得、該測定コース外の推定パスプロファイルと該測定コース内の推定パスプロファイルとから任意の地点のパスプロファイルを得、任意の地点の推定パスプロファイルの総和から各チャンネル下り受信電力を得、該下り受信電力の総和と前記基地局データの送信条件であるチップレート、他チャンネル伝送レートを用いて各チャンネル下り干渉電力を算出し、該各チャンネル下り干渉電力と前記各チャンネル下り受信電力の比をとることで各チャンネル下りＳＩＲを推定することを特徴とする請求項１７、２１、２２のいずれかに記載の測定用チャンネルを用いた他チャンネル通信品質推定方法。
【請求項２４】
前記通信品質推定ステップでは、全サービスエリアにおける他チャンネル上りＳＩＲの推定に際し、上りチャンネル毎に送信電力を設定し、該設定した送信電力と前記基地局データ、前記地形・建物データを用いて前記測定コース外の推定パスプロファイルを得、また、該設定した送信電力と前記実測データのパスプロファイルと前記基地局データの送信条件である測定用チャンネルの送信電力を用いて前記測定コース内の推定パスプロファイルを得、該測定コース外の推定パスプロファイルと該測定コース内の推定パスプロファイルとから任意の地点のパスプロファイルを得、任意の地点の推定パスプロファイルの総和から各チャンネル上り受信電力を得、前記上り受信電力の総和と前記基地局データの送信条件であるチップレート、他チャンネル伝送レートを用いて各チャンネル上り干渉電力を算出し、該各チャンネル上り干渉電力と前記各チャンネル上り受信電力の比をとることで各チャンネル上りＳＩＲを推定することを特徴とする請求項１７、２１、２２、２３のいずれかに記載の測定用チャンネルを用いた他チャンネル通信品質推定方法。
【請求項２５】
前記通信品質推定ステップでは、各チャンネルにおける所要送信電力を推定するに際し、チャンネル毎に所要ＳＩＲ値を設定し、チャンネル毎に送信電力の初期値を設定し、全サービスエリアにおける他チャンネル品質推定を行った後、チャンネル毎に全チャンネルのＳＩＲが前記所要ＳＩＲ値を満たすか否かを判定し、これが肯定判定となるまでチャンネル毎に送信電力を更新することで各チャンネルにおける所要送信電力を推定することを特徴とする請求項１７に記載の測定用チャンネルを用いた他チャンネル通信品質推定方法。
【請求項２６】
前記通信品質推定ステップでは、各チャンネルのＳＩＲ、各チャンネルのパスプロファイルおよび前記基地局データの送信条件を用いて各チャンネルにおけるＢＥＲを算出することを特徴とする請求項１７に記載の測定用チャンネルを用いた他チャンネル通信品質推定方法。
【発明の詳細な説明】
【０００１】
【発明の属する技術分野】
本発明は、測定用チャンネルを用いた他チャンネル通信品質推定システムおよびその通信品質推定方法に関し、特にＣＤＭＡ（Ｃｏｄｅ  Ｄｉｖｉｓｉｏｎ  Ｍｕｌｔｉｐｌｅ  Ａｃｃｅｓｓ；符号分割多重アクセス）方式等の拡散信号を用いたセルラー移動通信システムにおけるサービスエリア内の通信品質を評価するシステムおよび方法に関する。
【０００２】
【従来の技術】
割り当てられた帯域を複数のチャンネルに分割し、夫々のチャンネルを用いて通信を行う従来型の移動通信システムにおいては、通信品質を決定する要因は受信電力の低下に伴う熱雑音と、空間的に同一および隣接チャネルを再使用することに起因する同一および隣接チャンネルの干渉雑音である。従って、サービスエリア内の通信品質を評価するには、現用に共されている基地局から送信されるチャンネルの受信電力を測定し、センターにおいてサービスエリア内の受信電力分布、およびＤＵ比（希望波受信電力対干渉波受信電力比）の分布を評価すればよい。
【０００３】
【発明が解決しようとする課題】
しかしながら、今後の移動通信方式として最有力視されているＣＤＭＡ方式におけるサービスエリア内の通信品質の評価は上述の従来方式のそれとは事態が異なっている。
【０００４】
まず、ＣＤＭＡ方式では割り当てられた帯域を複数の通信用帯域に再分割することなく、すべての通信で共有している。それぞれの通信は異なる符号を用いて行われており、使用する符号の種類によりチャンネルを区別している。したがって、通信品質を決定する要因の一つである干渉雑音は自地点に到来する自通信波以外の通信波によるものとなる。
【０００５】
また、ＣＤＭＡ方式では各通信チャンネルにおいて送信電力制御が必須であり、送信電力はトラヒック量に応じて変動する。例えば、トラヒック量が増えれば、干渉雑音が増加することとなり、送信側は受信側の品質が規定値を満たすように、自分の能力の範囲内で送信電力を増加させる。
【０００６】
また、ＣＤＭＡ方式では各サービス毎に送信条件（送信電力、伝送レート、チップレート、等）の異なるチャンネルが割り当てられるため、通信品質は各サービス毎に異なる。
【０００７】
このように、ＣＤＭＡ方式においては、通信品質の評価を行うとすると、各サービス、各チャンネル毎にトラヒックの時間変動を考慮しつつ、実測を行う必要があり、非効率である。
【０００８】
本発明は、上述の点に鑑みてなされたもので、その目的は、ＣＤＭＡ方式等の拡散信号を用いた移動通信方式のサービスエリア内において、特定の測定用チャンネルを用いて測定を行うことで、効率よく他チャンネルの通信品質を評価できるようにすることにある。
【０００９】
【課題を解決するための手段】
上記目的を達成するため、請求項１の発明は、ＣＤＭＡ等の拡散信号を用いた移動通信システムのサービスエリア内において所定の測定コースを走行しながら無線基地局から送信される特定の測定用チャンネルを用いて該サービスエリア内の受信電力、干渉電力、パスプロファイルを少なくとも含む受信特性を実測する移動測定手段と、該移動測定手段で得られた実測データと通信品質を推定するための所定の演算式を用いて送信電力、伝送レート、チップレートのいずれかを少なくとも含む送信条件が前記測定用チャンネルと異なる他チャンネルのＳＩＲ（受信電力対干渉電力比），ＢＥＲ（ビット誤り率）のいずれかを少なくとも含む通信品質を推定する通信品質推定手段とを有することを特徴とする。
【００１０】
ここで、前記移動測定手段は前記測定用チャンネルの受信特性および下り干渉電力を測定し、前記通信品質推定手段は該移動測定手段で取得した該受信特性および該下り干渉電力の実測データを用いて送信条件が前記測定用チャンネルと異なる下りチャンネルの通信品質を推定することを特徴とすることができる。
【００１１】
また、前記通信品質推定手段は、前記移動測定手段で取得した前記測定用チャンネルの受信特性と前記サービスエリア内の各無線基地局で測定した上り干渉総電力の実測データを用いて送信条件が前記測定用チャンネルと異なる上りチャンネルの通信品質を推定することを特徴とすることができる。
【００１２】
また、前記通信品質推定手段は、前記移動測定手段で取得した前記測定用チャンネルの受信特性と下り干渉電力、前記サービスエリア内の各無線基地局で測定した上り干渉総電力の実測データに加えて、基地局データ、トラヒックデータ、地形・建物データの各データベースを用いて前記測定コース外の受信特性を推定し、該推定結果を用いて前記測定用チャンネルと異なる他チャンネルの通信品質を推定することを特徴とすることができる。
【００１３】
また、前記通信品質推定手段は、前記測定コース上では前記実測データ、その他の地点では各種前記データベースと前記演算式から計算した推定データを用いて、前記測定コースの内外、トラヒック分布の形状を問わず前記サービスエリア全体における各前記他チャンネルについて通信品質を推定することを特徴とすることができる。
【００１４】
また、前記通信品質推定手段は、前記実測データから前記測定用チャンネルの通信品質の評価を行い、該評価結果と前記基地局データを用いて、前記測定コース上の前記他チャンネルの通信品質を推定し、前記評価結果と前記基地局データおよび前記トラヒックデータ、前記地形・建物データを用いてあるトラヒック分布を仮定したときの前記サービスエリア全体における各前記他チャンネルの通信品質を推定することを特徴とすることができる。
【００１５】
また、前記実測データは前記測定用チャンネルについての受信電力、下り干渉電力、パスプロファイル、上り干渉総電力、測定用チャンネル送信電力を含み、前記基地局データは各基地局の位置、アンテナ指向性、送信電力、送信レート、チップレートのいずれかを少なくとも含み、トラヒックデータは実測トラヒック、推定トラヒックを含み、前記地形・建物データは標高、土地利用、建物高のいずれかを少なくとも含み、前記他チャンネル推定データはパスプロファイル推定データ、下り受信電力推定データ、上り受信電力推定データ、下り干渉電力推定データ、上り干渉電力推定データを含み、前記通信品質はＳＩＲ，所要送信電力、ＢＥＲを含むことを特徴とすることができる。
【００１６】
また、前記通信品質推定手段は、前記測定コース内の他チャンネル下りＳＩＲの推定に際し、前記実測データの下り干渉電力、前記基地局データの送信条件である測定用チャンネル伝送レート、他チャンネル伝送レートを用いて他チャンネル下り干渉電力を算出し、前記実測データのパスプロファイルと前記基地局データの送信条件である測定用チャンネル送信電力、他チャンネル下り送信電力を用いて他チャンネル下りパスプロファイルを算出し、該他チャンネル下りパスプロファイルを総計することで他チャンネル下り受信電力を得、前記他チャンネル下り干渉電力と前記他チャンネル下り受信電力の比をとることで他チャンネル下りＳＩＲを推定することを特徴とすることができる。
【００１７】
また、前記通信品質推定手段は、前記測定コース内の他チャンネル上りＳＩＲの推定に際し、前記実測データの上り干渉総電力、前記基地局データの送信条件であるチップレート、他チャンネル伝送レートを用いて他チャンネル上り干渉電力を算出し、前記実測データのパスプロファイルと前記基地局データの送信条件である測定用チャンネル送信電力、他チャンネル上り送信電力を用いて他チャンネル上りパスプロファイルを算出し、該他チャンネル上りパスプロファイルを総計することで他チャンネル上り受信電力を得、前記他チャンネル上り干渉電力と前記他チャンネル上り受信電力の比をとることで他チャンネル上りＳＩＲを推定することを特徴とすることができる。
【００１８】
また、前記通信品質推定手段は、全サービスエリアにおける他チャンネル下りＳＩＲの推定に際し、下りチャンネル毎に送信電力を設定し、該設定した送信電力と前記基地局データ、前記地形・建物データを用いて前記測定コース外の推定パスプロファイルを得、また、該設定した送信電力と前記実測データのパスプロファイルと前記基地局データの送信条件である測定用チャンネルの送信電力を用いて前記測定コース内の推定パスプロファイルを得、該測定コース外の推定パスプロファイルと該測定コース内の推定パスプロファイルとから任意の地点のパスプロファイルを得、任意の地点の推定パスプロファイルの総和から各チャンネル下り受信電力を得、該下り受信電力の総和と前記基地局データの送信条件であるチップレート、他チャンネル伝送レートを用いて各チャンネル下り干渉電力を算出し、該各チャンネル下り干渉電力と前記各チャンネル下り受信電力の比をとることで各チャンネル下りＳＩＲを推定することを特徴とすることができる。
【００１９】
また、前記通信品質推定手段は、全サービスエリアにおける他チャンネル上りＳＩＲの推定に際し、上りチャンネル毎に送信電力を設定し、該設定した送信電力と前記基地局データ、前記地形・建物データを用いて前記測定コース外の推定パスプロファイルを得、また、該設定した送信電力と前記実測データのパスプロファイルと前記基地局データの送信条件である測定用チャンネルの送信電力を用いて前記測定コース内の推定パスプロファイルを得、該測定コース外の推定パスプロファイルと該測定コース内の推定パスプロファイルとから任意の地点のパスプロファイルを得、任意の地点の推定パスプロファイルの総和から各チャンネル上り受信電力を得、前記上り受信電力の総和と前記基地局データの送信条件であるチップレート、他チャンネル伝送レートを用いて各チャンネル上り干渉電力を算出し、該各チャンネル上り干渉電力と前記各チャンネル上り受信電力の比をとることで各チャンネル上りＳＩＲを推定することを特徴とすることができる。
【００２０】
また、前記通信品質推定手段は、各チャンネルにおける所要送信電力を推定するに際し、チャンネル毎に所要ＳＩＲ値を設定し、チャンネル毎に送信電力の初期値を設定し、全サービスエリアにおける他チャンネル品質推定を行った後、チャンネル毎に全チャンネルのＳＩＲが前記所要ＳＩＲ値を満たすか否かを判定し、これが肯定判定となるまでチャンネル毎に送信電力を更新することで各チャンネルにおける所要送信電力を推定することを特徴とすることができる。
【００２１】
また、前記通信品質推定手段は、各チャンネルのＳＩＲ、各チャンネルのパスプロファイルおよび前記基地局データの送信条件を用いて各チャンネルにおけるＢＥＲを算出することを特徴とすることができる。
【００２２】
上記目的を達成するため、請求項１４の発明は、ＣＤＭＡ等の拡散信号を用いた移動通信システムのサービスエリア内において所定の測定コースを走行しながら無線基地局から送信される特定の測定用チャンネルを用いて該サービスエリア内の受信電力、干渉電力、パスプロファイルを少なくとも含む受信特性を実測する移動測定ステップと、該移動測定ステップで得られた実測データと通信品質を推定するための所定の演算式を用いて送信電力、伝送レート、チップレートのいずれかを少なくとも含む送信条件が前記測定用チャンネルと異なる他チャンネルのＳＩＲ（受信電力対干渉電力比），ＢＥＲ（ビット誤り率）のいずれかを少なくとも含む通信品質を推定する通信品質推定ステップとを有することを特徴とする。
【００２３】
（作用）
本発明では、上記構成により、ＣＤＭＡ方式等の拡散信号を用いた移動通信方式のサービスエリア内において、無線基地局から送信される特定の測定用チャンネルの移動測定車における受信特性と下り干渉電力、各基地局で測定した上り干渉総電力データとを用いて、測定用チャンネルの通信品質評価を行う。この通信品質評価結果に対し、送信特性により違いを考慮して、他チャネルの通信評価を行う。
【００２４】
このように、本発明では、測定用チャンネルを実測して得た実測データや、各基地局で測定した上り干渉総電力を用いて他チャンネルの通信品質を推定するので、実測するチャンネルは測定用チャンネル一つのみで、他チャンネルについても測定コース上における通信品質評価が可能となる。また、シミュレーションを行うことで、任意のトラヒック等の条件下においても、全サービスエリアについて各チャンネルの通信品質推定を行うことができることから、測定用チャンネルのみの測定、記録および蓄積を行えばよく、さらにチャンネル毎の走行測定の必要もなくなることから、効率的で経済的な通信品質評価が可能となる。
【００２５】
【発明の実施の形態】
以下、図面を参照して本発明の実施形態を詳細に説明する。
【００２６】
図１は、本発明の一実施形態における測定用チャンネルを用いた他チャンネル通信品質測定システムの概念的構成を示す。本測定システムは、所定の測定コース上の測定用チャンネルを移動測定車に搭載した装置により実測し、この実測値をもとに測定コース内の他チャンネル品質測定と全サービスエリアにおける他チャンネル品質推定を行う。
【００２７】
図１に示すように、所定の測定コース１を走行する移動測定車２の測定機器（図示しない）において、基地局３から送信される特定の片方向チャンネルを測定用チャンネル４として実測し、取得したデータを実測データ５として記録媒体上に記録する。これらの実測データ５をセンタに持ち帰り、センタ内の実測データベース６に蓄積する。この実測データベース６を初めとして、他のシステムにより作成される基地局データベース７、トラヒックデータベース８、地形・建物データベース９の各データベースを用いて、コンピュータユニット（センタ側品質推定装置）１０により“測定コース内の他チャンネル品質推定”と“全サービスエリアにおける他チャンネル品質推定”を行う。
【００２８】
図２は図１の機能を達成するのに用いられるハードウエアの構成例を示す。ここで、２１は基地局３から送信される測定用チャンネル４を受信する移動測定車搭載の受信機、２２は受信機２１の受信信号から所望の実測データ５を得る移動測定車搭載の計測装置であり、実測データ５は記憶装置２３を介して記憶媒体２４に記録される。
【００２９】
センタに持ち帰られた記憶媒体２４の実測データ５は、センタ内のドライバ２５を介して読取られ、センタ側品質推定装置（コンピュータユニット）１０を通じて実測データベース６に蓄積される。２６は実測データベース６を初めとして、基地局データベース７、トラヒックデータベース８、地形・建物データベース９の各データベースを格納するＤＲＡＭ等の記憶装置である。２７は上記“測定コース内の他チャンネル品質推定”と“全サービスエリアにおける他チャンネル品質推定”を行うための演算処理手順を記録したＲＯＭ等の記憶装置である。２８、２９は品質推定結果を出力するためのモニタとプリンタである。
【００３０】
図３の（Ａ）は測定コース１内の他チャンネル品質推定の概念を示している。基地局３から送信される片方向の測定用チャンネル４を移動測定車２にて測定した結果が実測データである。本発明の推定では、この実測データ５から、送信電力や伝送レートが異なる他チャンネル３１で同じ測定コース１上において通信を行った場合の通信品質を推定する。図３の（Ｂ）に、使用するデータの種類と、推定により得ることのできる結果データの関係を示している。
【００３１】
すなわち、実測データ５としては、受信電力、下り干渉電力、パスプロファイル、上り干渉総電力、測定チャネル送信電力がある。この実測データ５と基地局データベース７から得られる基地局データ推定条件とを用いて他チャンネル推定データを各地点のデータ毎に算出する。基地局データ推定条件としては、送信電力、伝送レート、チップレートがある。他チャンネル推定データとしては、パスプロファイル、下り受信電力、下り干渉電力、上り受信電力、上り干渉電力がある。この他チャンネル推定データから測定コース内の他チャンネル品質推定を行うが、この他チャンネル品質推定には、下りＳＩＲ、下り所要送信電力、下りＢＥＲ（ビット誤り率）、上りＳＩＲ、上り所要送信電力、上りＢＥＲがある。
【００３２】
図４の（Ａ）は全サービスエリアにおける他チャンネル品質推定の概念を示している。推定エリア内で実測を行ったコースに相当する場所には、実測データのパスプロファイルを割り当て、それ以外の場所については、後述の推定式に基地局、地形・建物の各データを適用することで推定したパスプロファイルを割り当てる。これらのパスプロファイルは、図４の（Ｂ）に示すように、各チャンネル毎にその送信電力を考慮したものを割り当てている。本発明の推定では、サービスエリア内にトラヒックデータにより与えられるトラヒックが存在するときに、各通信チャンネルが実測または推定により得られたパスプロファイルで通信を行った場合の通信品質を推定する。図４の（Ｂ）には、使用するデータの種類と、推定により得ることのできるデータの関係を示している。トラフィックデータには実測トラフィックと推定トラフィックがあるが、図１のトラフィックデータベース８から得られる。
【００３３】
図５は測定コース１内の他チャンネル品質推定と全サービスエリアにおける他チャンネル品質推定を行う際のデータの流れをまとめて示す。
【００３４】
次に、演算式を用いて、本発明の他チャンネル品質推定の処理内容をさらに詳細に説明する。
【００３５】
測定コースの他チャンネル品質推定（下りＳＩＲ）の手順を図６に示す。
【００３６】
【外１】
0003709105.tif 000002
【００３７】
【数１】
0003709105.tif 000003
【００３８】
で求められる（ステップ６１）。
【００３９】
【外２】
0003709105.tif 000004
【００４０】
【数２】
0003709105.tif 000005
【００４１】
で与えられる（ステップ６２）。
【００４２】
【外３】
0003709105.tif 000006
【００４３】
【数３】
0003709105.tif 000007
【００４４】
で与えられる（ステップ６３）。
【００４５】
【外４】
0003709105.tif 000008
【００４６】
【数４】
0003709105.tif 000009
【００４７】
で求められる（ステップ６４）。
【００４８】
測定コースの他チャンネル品質推定（上りＳＩＲ）の手順を図７に示す。
【００４９】
【外５】
0003709105.tif 000010
【００５０】
【数５】
0003709105.tif 000011
【００５１】
で示すことができる（ステップ７１）。
【００５２】
【外６】
0003709105.tif 000012
【００５３】
【数６】
0003709105.tif 000013
【００５４】
で与えられる（ステップ７２）。
【００５５】
【外７】
0003709105.tif 000014
【００５６】
【数７】
0003709105.tif 000015
【００５７】
である（ステップ７３）。
【００５８】
【外８】
0003709105.tif 000016
【００５９】
【数８】
0003709105.tif 000017
【００６０】
となる（ステップ７４）。
【００６１】
次に、測定コースの内外を問わず、サービスエリア全域において、実測データから他チャンネルの通信品質の推定を行う方法について述べる。特に、ここでは、測定コース内においては実測データのパスプロファイルを用い、また測定コース外では以下に述べる推定式によるパスプロファイルを用いて、通信品質を推定する方法について説明する。
【００６２】
全サービスエリアにおける他チャンネル品質推定（下りＳＩＲ）の手順を図８に示す。
【００６３】
【外９】
0003709105.tif 000018
【００６４】
【数９】
0003709105.tif 000019
【００６５】
【外１０】
0003709105.tif 000020
【００６６】
【数１０】
0003709105.tif 000021
【００６７】
【外１１】
0003709105.tif 000022
【００６８】
【数１１】
0003709105.tif 000023
【００６９】
で与えられる（ステップ８４）。
【００７０】
【外１２】
0003709105.tif 000024
【００７１】
【数１２】
0003709105.tif 000025
【００７２】
として求められる（ステップ８５）。
【００７３】
全サービスエリアにおける他チャンネル品質推定（上りＳＩＲ）の手順を図９に示す。
【００７４】
【外１３】
0003709105.tif 000026
【００７５】
【数１３】
0003709105.tif 000027
【００７６】
【外１４】
0003709105.tif 000028
【００７７】
【数１４】
0003709105.tif 000029
【００７８】
を得る（ステップ９３）。
【００７９】
【外１５】
0003709105.tif 000030
【００８０】
【数１５】
0003709105.tif 000031
【００８１】
で与えられる（ステップ９４）。
【００８２】
【外１６】
0003709105.tif 000032
【００８３】
【数１６】
0003709105.tif 000033
【００８４】
で得ることができる（ステップ９５）。
【００８５】
上述の図８および図９では、各チャンネル毎に送信電力を設定した際の通信品質（ＳＩＲ）の計算方法を示した。これとは逆に、所望の通信品質（ＳＩＲ）を設定し、その時の所要送信電力を求める場合には、図１０に示すアルゴリズムを用いた繰返し演算を行えばよい。
【００８６】
これを説明すると、まず、各チャンネル毎に所要（所望）のＳＩＲ値を設定する（ステップ１０１）。
次に、各チャネル毎に送信電力の初期値を設定する（ステップ１０２）。
【００８７】
続いて、全サービスエリアにおける他チャンネル品質推定（上り）、または全サービスエリアにおける他チャンネル品質推定（下り）を行う（ステップ１０３）。次に、各チャンネル毎にＳＩＲを判定し、全チャンネルのＳＩＲが所要値を満たすか否かを判定し（ステップ１０４）、満たさない場合は各チャンネル毎に送信電力を更新して（ステップ１０５）、ステップ１０３に戻り、ステップ１０４が肯定判定となるまで、この送信電力の更新処理を繰り返す。
【００８８】
全チャンネルのＳＩＲが所要値を満たした場合は、各チャンネルの所要送信電力が求まる（ステップ１０６）。
【００８９】
【外１７】
0003709105.tif 000034
【００９０】
（他の実施の形態）
なお、本発明の目的は、前述した実施の形態の機能を実現するソフトウエアのプログラムコードを記録した記録媒体（記憶媒体）を、システムあるいは装置に供給し、そのシステムあるいは装置のコンピュータ（またはＣＰＵやＭＰＵ）が記録媒体に格納されたプログラムコードを読み出し、実行することによっても、達成されることは言うまでもない。この場合、記録媒体から読み出されたプログラムコード自体が前述した実施の形態の機能を実現することになり、そのプログラムコードを記録した記録媒体は本発明を構成することになる。そのプログラムコードを記録し、またテーブル等の変数データを記録する記録媒体としては、例えばフロッピディスク、ハードディスク、光ディスク、ＩＣ−ＲＯＭなどを用いことができる。
【００９１】
【発明の効果】
以上説明したように、本発明によれば、測定用チャンネルの各種実測結果を用いて他チャンネルの通信品質を推定するようにしたので、実測するチャンネルは無線エリア構成単位毎に一つのみで、任意の地点、トラヒック分布、チャンネル種別について、実測しない他の通信チャンネルの通信品質評価をセンタにおいて行うことが可能となる。従って、サービスエリア評価に要する労力を大幅に削減できる。
【００９２】
また、本発明によれば、その実測結果をエリア全体の評価に反映させることで、全ての種類のサービスについて高精度なエリア評価が可能となる。
【００９３】
さらに、本発明によれば、測定用システムは測定用チャンネルのみの測定、記録、蓄積を行えばよく、また、チャンネル毎の走行測定の必要もなくなることから、サービスエリアの実測評価の効率と経済性を飛躍的に向上させることができる。
【図面の簡単な説明】
【図１】本発明の一実施形態における測定用チャンネルを用いた他チャンネル通信品質測定システムの構成を示す概念図である。
【図２】図１の機能を達成するのに用いられるハードウエアの構成例を示すブロック図である。
【図３】本発明の一実施形態における測定コース内の他チャンネル品質推定の概念を示す説明図である。
【図４】本発明の一実施形態の全サービスエリアにおける他チャンネル品質推定の概念を示す説明図である。
【図５】本発明の一実施形態の測定コース内の他チャンネル品質推定と全サービスエリアにおける他チャンネル品質推定を行う際のデータの流れとデータの相互関係をまとめて示すブロック図である。
【図６】本発明の一実施形態における測定コース内の他チャンネル品質推定（下りＳＩＲ）の演算処理手順を示すフローチャートである。
【図７】本発明の一実施形態における測定コース内の他チャンネル品質推定（上りＳＩＲ）の演算処理手順を示すフローチャートである。
【図８】本発明の一実施形態の全サービスエリアにおける他チャンネル品質推定（下りＳＩＲ）の演算処理手順を示すフローチャートである。
【図９】本発明の一実施形態の全サービスエリアにおける他チャンネル品質推定（上りＳＩＲ）の演算処理手順を示すフローチャートである。
【図１０】本発明の一実施形態の各チャンネルにおける所要送信電力を求める処理手順を示すフローチャートである。
【図１１】本発明の一実施形態の各チャンネルにおけるＢＥＲを求める方法を示すブロック図である。
【符号の説明】
１  測定コース
２  移動測定車
３  基地局
４  測定用チャンネル
５  実測データ
６  実測データベース
７  基地局データベース
８  トラヒックデータベース
９  地形・建物データベース
１０  センタ側品質推定装置（コンピュータユニット）
２１  移動測定車側受信機
２２  計測装置
２３  記憶装置
２４  記憶媒体
２５  ドライバ
２６  各種データデータベース格納用ＤＲＡＭ等の記憶装置
２７  プログラム格納用ＲＯＭ等の記憶装置
２８  モニタ
２９  プリンタ
３１  他チャンネル
３２  上り、下りの通信品質
５１  測定コース内の他チャンネル品質推定ブロック
５２  全サービスエリアにおける他チャンネル品質推定ブロック
５６  実測データ
５７  基地局データ
５８  トラヒックデータ
５９  地形・建物データ
１１１  ＢＥＲ推定モジュール（シミュレーションプログラム）
【図１】
0003709105.tif 000035
【図２】
0003709105.tif 000036
【図３】
0003709105.tif 000037
【図４】
0003709105.tif 000038
【図５】
0003709105.tif 000039
【図６】
0003709105.tif 000040
【図７】
0003709105.tif 000041
【図８】
0003709105.tif 000042
【図９】
0003709105.tif 000043
【図１０】
0003709105.tif 000044
【図１１】
0003709105.tif 000045